(57)【要約】【課題】保温性が高く、浴槽内に収容された粒状物の温度を均一に保持して、砂風呂の十分な効能が得られるようにした砂風呂を提供すること。【解決手段】粒状物１を収容するようにした浴槽２と、この浴槽２との間で温水を循環させるようにした水槽３と、温水の循環機構４とを備え、水槽３を浴槽２の底部及び側部の覆うとともに、少なくとも浴槽２の温水収容量に見合うだけの容積を有するように形成する。【選択図】図１
2005319020.tif 000002
【特許請求の範囲】
【請求項１】
粒状物を収容するようにした浴槽と、該浴槽との間で水を循環させるようにした水槽と、水循環機構とを備えた砂風呂において、前記水槽を浴槽の底部及び側部を覆うとともに、少なくとも浴槽の水収容量に見合うだけの容積を有するように形成したことを特徴とする砂風呂。
【請求項２】
浴槽への水の供給と、浴槽からの水の排出とを、水循環機構の１台のポンプを介して行うようにしたことを特徴とする請求項１記載の砂風呂。
【請求項３】
浴槽に、水循環機構を構成する循環排水口と、汚水排水口とを形成したことを特徴とする請求項１又は２記載の砂風呂。
【請求項４】
浴槽への水の供給を、超音波ノズルを介して行うようにしたことを特徴とする請求項１、２又は３記載の砂風呂。
【発明の詳細な説明】
【技術分野】
【０００１】
本発明は、天然の砂風呂の雰囲気と効能を手軽に楽しむことができる業務用又は家庭用の砂風呂に関するものである。
【背景技術】
【０００２】
従来より、天然の砂風呂の雰囲気と効能を手軽に楽しむことができる砂風呂が提案され、実用化されている（例えば、特許文献１参照）。
この砂風呂は、例えば、セラミック製の粒状物を収容するようにした浴槽と、この浴槽との間で水を循環させるようにした水槽と、水循環機構とを備えることにより、天然の砂風呂と同様の雰囲気と効能を手軽に楽しむことができるものである。
ところで、従来の砂風呂は、浴槽と水槽をそれぞれ独立して設置したり、浴槽の下方に水槽を設置するようにしているため、保温性が悪く、浴槽内に収容された粒状物の温度が不均一になり、砂風呂の十分な効能が得られにくいという問題があった。
また、従来の砂風呂は、人体から排出された老廃物が、粒状物に付着、滞積しやすいという問題があった。
【特許文献１】特開平９−５９５号公報
【発明の開示】
【発明が解決しようとする課題】
【０００３】
本発明は、上記従来の砂風呂の有する問題点に鑑み、保温性が高く、浴槽内に収容された粒状物の温度を均一に保持して、砂風呂の十分な効能が得られるようにした砂風呂を提供することを第１の目的とする。
また、本発明は、人体から排出された老廃物が、浴槽に収容した粒状物に付着、滞積することなく、浴槽から容易に排出することができるようにして、砂風呂の衛生状態を良好に維持することができるようにした砂風呂を提供することを第２の目的とする。
【課題を解決するための手段】
【０００４】
上記第１の目的を達成するため、本発明の砂風呂は、粒状物を収容するようにした浴槽と、該浴槽との間で水を循環させるようにした水槽と、水循環機構とを備えた砂風呂において、前記水槽を浴槽の底部及び側部を覆うとともに、少なくとも浴槽の水収容量に見合うだけの容積を有するように形成したことを特徴とする。
【０００５】
この場合において、浴槽への水の供給と、浴槽からの水の排出とを、水循環機構の１台のポンプを介して行うようにすることができる。
【０００６】
さらに、上記第２の目的を達成するため、本発明の砂風呂は、浴槽に、水循環機構を構成する循環排水口と、汚水排水口とを形成したことを特徴とする。
【０００７】
また、浴槽への水の供給を、超音波ノズルを介して行うようにすることができる。
【発明の効果】
【０００８】
本発明の砂風呂によれば、水槽を浴槽の底部及び側部を覆うとともに、少なくとも浴槽の水収容量に見合うだけの容積を有するように形成したことから、保温性が高く、浴槽内に収容された粒状物の温度を均一に保持して、砂風呂の十分な効能が得られるようにすることができるとともに、浴槽に収容した粒状物を加熱するために用いた水を棄てることなく水槽に貯留してそのまま保温に利用することができ、エネルギ効率を向上することができる。
【０００９】
また、浴槽への水の供給と、浴槽からの水の排出とを、水循環機構の１台のポンプを介して行うようにすることにより、浴槽への水の供給及び浴槽からの水の排出を短時間で行うことができるようにしながら、設備コストを低廉にすることができる。
【００１０】
また、浴槽に、水循環機構を構成する循環排水口と、汚水排水口とを形成することにより、人体から排出された老廃物を水と共に、循環排水口とは個別に形成した汚水排水口から直接系外に排出することができ、人体から排出された老廃物が、浴槽に収容した粒状物に付着、滞積することがないことから、砂風呂の衛生状態を良好に維持することができる。
【００１１】
また、浴槽への水の供給を、超音波ノズルを介して行うようにすることにより、人体から排出された老廃物を粒状物から離脱させやすくし、確実に排出することができる。
【発明を実施するための最良の形態】
【００１２】
以下、本発明の砂風呂の実施の形態を、図面に基づいて説明する。
【実施例１】
【００１３】
図１に、本発明の砂風呂の一実施例を示す。
この砂風呂は、粒状物１を収容するようにした浴槽２と、この浴槽２との間で水（温水）を循環させるようにした水槽３と、水循環機構４とを備え、前記水槽３を浴槽２の底部及び側部を覆うとともに、少なくとも浴槽２の水収容量（浴槽２の容積から粒状物１の空隙を含まない体積を引いた容積）に見合うだけの容積を有するように形成されている。
【００１４】
浴槽２に収容する粒状物１には、例えば、粒径が１〜１０ｍｍ程度、より好ましくは、３〜６ｍｍ程度の合成又は天然のセラミック質、鉱物質、ガラス質、プラスチック質等の粒状物４を用いることができる。
そして、特に、４０〜６０℃程度の温度で遠赤外線及び／又はマイナスイオンを放射するセラミック質等の粒状物４を好適に用いることができる。
【００１５】
水循環機構４は、特に限定されるものではないが、ストレーナ４１、ポンプ４２、濾過装置４３及び熱交換器、ヒーター等の加熱装置４４等を備えるようにする。
この場合、浴槽２への水の供給と、浴槽２からの水の排出とを、１台のポンプ４２を介して行うようにしている。
【００１６】
浴槽２及び水槽３の底部には、他の部分より低位の排水ピット２１、３１をそれぞれ形成するようにする。
そして、浴槽２に形成した排水ピット２１には、浴槽２に収容した粒状物１の流出を防止するフィルターを配設するようにする。
【００１７】
浴槽２には、水循環機構４を構成する循環排水口４５と、人体から排出された老廃物を水と共に直接系外に排出するための汚水排水口５とを、個別に形成するようにしている。
この場合、好ましくは、循環排水口４５を、汚水排水口５よりも高い位置に配設するとともに、循環排水口４５及び汚水排水口５には、浴槽２に収容した粒状物１の流出を防止するフィルターを配設するようにする。
【００１８】
水循環機構４による浴槽２への水の供給は、超音波ノズル６を介して行うようにしている。
この超音波ノズル６は、図２に示すように、圧力水導入口６１から導入した圧力水がノズル部６２を通過する際に生じる吸引作用により、空気導入口６３から空気を吸引し、空気の混入した圧力水を噴出口６４から噴出させるようにしたもので、このとき、発生する超音波が噴出する圧力水に乗って伝搬され、大きな洗浄作用を発揮するものである。
【００１９】
水槽３の浴槽２と接する面を除く面には、保温性を高めるために断熱層３２を形成する。
また、水槽３には、槽２との間で水を循環させるための循環機構４を接続するとともに、水を補給するための水供給管３３を接続する。
【００２０】
浴槽２に収容した粒状物１の上面には、必要に応じて、保温効果を向上するための熱反射断熱シート７を配設するようにする。
なお、この熱反射断熱シート７に、水面に浮く素材で構成することにより、保温効果を一層向上するこができる。
【００２１】
浴槽２や水槽３には、必要に応じて、紫外線照射、次亜塩素酸ソーダ又はオゾン注入等による殺菌装置等の付帯設備を備えることができる。
なお、浴槽２（浴槽２に収容した粒状物１を含む）や水槽３の殺菌は、循環機構４によって循環させる水の温度を高めに設定することによっても可能である。
【００２２】
次に、この砂風呂の使用方法について説明する。
【００２３】
まず、水槽３に、所定水位Ｌ３１になるまで、水供給管３３から水を供給する。
【００２４】
そして、水槽３に貯留された水を、所定温度、特に限定されるものではないが、例えば、４０〜８０℃程度まで加熱する。この水槽３に貯留された水の加熱は、水循環機構４を用い、水槽３に貯留された水を、水槽３（排水ピット３１）、バルブＶ１（Ｂ−Ｃ）、ストレーナ４１、ポンプ４２、バルブＶ２（Ｃ−Ａ）、濾過装置４３、バルブＶ４、加熱装置４４、バルブＶ５、水槽３の順に循環させることにより行うようにする。
【００２５】
水槽３に貯留された水が加熱されると、これに合わせて、水槽３に貯留された水を、浴槽２に供給することにより、浴槽２に収容した粒状物１を加熱する。この浴槽２に収容した粒状物１の加熱は、水循環機構４を用い、水槽３に貯留された水を、水槽３（排水ピット３１）、バルブＶ１（Ｂ−Ｃ）、ストレーナ４１、ポンプ４２、バルブＶ２（Ｃ−Ａ）、濾過装置４３、バルブＶ３（この場合、水の一部は、バルブＶ４側（加熱装置４４側）に循環させ、水槽３に貯留された水の温度が低下しないようにする。）、超音波ノズル６、浴槽２、循環排水口４５（この場合、汚水排水口５のバルブＶ６は閉鎖しておく。このため、浴槽２の水位は高水位Ｌ２１となる。）、水槽３の順に循環させることにより行うようにする。水槽３に貯留された水を浴槽２に供給している間は、水槽３の水位は低水位Ｌ３２となる。
【００２６】
浴槽２に収容した粒状物１が加熱されると、浴槽２に貯留された水を排出し、入浴可能な状態にする。この浴槽２に貯留された水の排出は、水循環機構４を用い、浴槽２に貯留された水を、浴槽２（排水ピット２１）、バルブＶ１（Ａ−Ｃ）、ストレーナ４１、ポンプ４２、バルブＶ２（Ｃ−Ａ）、濾過装置４３、バルブＶ４、加熱装置４４、バルブＶ５、水槽３の順に流通させることにより行うようにする。浴槽２に貯留された水の排出が終了すると、水槽３の水位は高水位Ｌ３１となる。
【００２７】
このように、浴槽２に貯留された水を水槽３に排出し、水槽３の水位を高水位Ｌ３１にすることにより、浴槽２に収容した粒状物１を保温し、その温度を均一に保持して、入浴を行うようにする。
なお、水槽３に貯留された水の温度が所定の設定温度より低下した場合には、上記の水槽３に貯留された水の加熱工程と同様にして、水槽３に貯留された水を加熱装置４４に循環させ、加熱するようにする。
【００２８】
入浴が終わると、浴槽２に収容した粒状物１に付着している人体から排出された老廃物を水と共に、汚水排水口５から直接系外に排出する。この浴槽２に収容した粒状物１の洗浄は、水循環機構４を用い、水槽３に貯留された水を、水槽３（排水ピット３１）、バルブＶ１（Ｂ−Ｃ）、ストレーナ４１、ポンプ４２、バルブＶ２（Ｃ−Ａ）、濾過装置４３、バルブＶ３、超音波ノズル６、浴槽２、汚水排水口５、バルブＶ６（この場合、バルブＶ６は開放しておく。このため、浴槽２の水位は低水位Ｌ２２となる。）の順に流通させ、系外に排出することにより行うようにする。
なお、浴槽２に収容した粒状物１の洗浄は、入浴者が入れ替わる毎に行うようにしたり、所定時間毎に行うようにしたり、あるいは、任意に行うようにすることができる。
また、浴槽２に収容した粒状物１の洗浄によって減少した水槽３の水は、水供給管３３から補給するようにする。
【００２９】
以下、同様にして、順次入浴を行うようにする。
なお、砂風呂を使用しない場合やメンテナンスの際には、水槽３に貯留された水を排出するが、この水槽３に貯留された水の排出は、水循環機構４を用い、水槽３に貯留された水を、水槽３（排水ピット３１）、バルブＶ１（Ｂ−Ｃ）、ストレーナ４１、ポンプ４２、バルブＶ２（Ｃ−Ｂ）の順に流通させ、系外に排出することにより行うようにする。
【００３０】
この砂風呂によれば、水槽３を、粒状物１を収容した浴槽２の底部及び側部を覆うとともに、少なくとも浴槽２の水収容量に見合うだけの容積を有するように形成したことから、保温性が高く、浴槽２内に収容された粒状物１の温度を均一に保持して、砂風呂の十分な効能が得られるようにすることができるとともに、浴槽２に収容した粒状物１を加熱するために用いた水を棄てることなく水槽３に貯留してそのまま保温に利用することができ、エネルギ効率を向上することができる。
【００３１】
また、浴槽３への水の供給と、浴槽３からの水の排出とを、水循環機構４の１台のポンプ４２を介して行うようにすることにより、浴槽３への水の供給及び浴槽３からの水の排出を短時間で行うことができるようにしながら、設備コストを低廉にすることができる。
【００３２】
また、浴槽３に、水循環機構４を構成する循環排水口４５と、汚水排水口５とを形成することにより、人体から排出された老廃物を水と共に、循環排水口４５とは個別に形成した汚水排水口５から直接系外に排出することができ、人体から排出された老廃物が、浴槽３に収容した粒状物１に付着、滞積することがないとともに、水槽３が汚れにくくなることから、砂風呂の衛生状態を良好に維持することができる。
【００３３】
また、浴槽３への水の供給を、超音波ノズル６を介して行うようにすることにより、人体から排出された老廃物を粒状物１から離脱させやすくし、確実に排出することができる。
【００３４】
以上、本発明の砂風呂について、その実施例に基づいて説明したが、本発明は上記実施例に記載した構成に限定されるものではなく、その趣旨を逸脱しない範囲において適宜その構成を変更することができるものである。
【産業上の利用可能性】
【００３５】
本発明の砂風呂は、保温性が高く、浴槽内に収容された粒状物の温度を均一に保持して、砂風呂の十分な効能が得られるとともに、人体から排出された老廃物が、浴槽に収容した粒状物に付着、滞積することなく、浴槽から容易に排出することができ、砂風呂の衛生状態を良好に維持することができることから、業務用や家庭用の砂風呂に用いることによって、天然の砂風呂の雰囲気と効能を手軽に楽しむことができる。
【図面の簡単な説明】
【００３６】
【図１】本発明の砂風呂の一実施例を示す説明図である。
【図２】超音波ノズルの断面図である。
【符号の説明】
【００３７】
１    粒状物
２    浴槽
２１  排水ピット
３    水槽
３１  排水ピット
４    水循環機構
４１  ストレーナ
４２  ポンプ
４３  濾過装置
４４  加熱装置
４５  循環排水口
５    汚水排水口
６    超音波ノズル
７    熱反射断熱シート
【図１】
2005319020.tif 000003
【図２】
2005319020.tif 000004